【手続補正書】
【提出日】平成23年9月15日(2011.9.15)
【手続補正１】
【補正対象書類名】特許請求の範囲
【補正対象項目名】全文
【補正方法】変更
【補正の内容】
【特許請求の範囲】
【請求項１】
第１および第２の電圧信号を増幅する第１の増幅部と、前記第１の増幅部で増幅された第１および第２の電圧信号を増幅する第２の増幅部と、前記第２の増幅部で増幅された第１および第２の電圧信号を比較する比較部とを備えたＡＤ変換装置の補正方法であって、
前記第２の増幅部の入力端を短絡するステップと、
前記比較部へ入力される第１および第２の電圧信号を比較するステップと、
前記比較部での比較結果に応じて、前記第２の増幅部の出力電圧を補正するステップと、
前記第１の増幅部の入力端を短絡するステップと、
前記第２の増幅部の入力端の短絡を開放するステップと、
前記比較部へ入力される第１および第２の電圧信号を比較するステップと、
前記比較部での比較結果に応じて、前記第１の増幅部の出力電圧を補正するステップと、
を具備するＡＤ変換装置の補正方法。
【請求項２】
前記比較部へ入力される第１および第２の電圧信号を比較するステップと、
前記比較部での比較結果に応じて、前記第２の増幅部の出力電圧を補正するステップと
をさらに具備する請求項１に記載のＡＤ変換装置の補正方法。
【請求項３】
第１および第２の電圧信号を増幅する第１の増幅部と、前記第１の増幅部で増幅された第１および第２の電圧信号を増幅する第２の増幅部と、前記第２の増幅部で増幅された第１および第２の電圧信号を比較する第１の比較部と、第３および第４の電圧信号を増幅する第３の増幅部と、前記第３の増幅部で増幅された第３および第４の電圧信号を増幅する第４の増幅部と、前記第４の増幅部で増幅された第３および第４の電圧信号を比較する第２の比較部と、前記第１および第３の増幅部で増幅された第１および第３の電圧信号の中間の電圧信号を生成する第１の生成部と、前記第１および第３の増幅部で増幅された第２および第４の電圧信号の中間の電圧信号を生成する第２の生成部と、前記第１および第２の生成部で生成された中間の電圧信号を増幅する第５の増幅部と、前記第５の増幅部で増幅された中間の電圧信号を比較する第３の比較部とを備えたＡＤ変換装置の補正方法であって、
前記第２および第４の増幅部の入力端を短絡するステップと、
前記第１の比較部へ入力される第１および第２の電圧信号を比較するステップと、
前記第２の比較部へ入力される第３および第４の電圧信号を比較するステップと、
前記第３の比較部へ入力される中間の電圧信号を比較するステップと、
前記第１ないし３の比較部での比較結果に応じて、それぞれ前記第２、第４および第５の増幅部の出力電圧を補正するステップと、
前記第１および第３の増幅部の入力端を短絡するステップと、
前記第２および第４の増幅部の入力端の短絡を開放するステップと、
前記第１の比較部へ入力される第１および第２の電圧信号を比較するステップと、
前記第２の比較部へ入力される第３および第４の電圧信号を比較するステップと、
前記第１および第２の比較部での比較結果に応じて、それぞれ前記第１および第３の増幅部の出力電圧を補正するステップと
を具備するＡＤ変換装置の補正方法。
【請求項４】
前記第１の比較部へ入力される第１および第２の電圧信号を比較するステップと、
前記第２の比較部へ入力される第３および第４の電圧信号を比較するステップと、
前記第３の比較部へ入力される中間の電圧信号を比較するステップと、
前記第１ないし第３の比較部での比較結果に応じて、それぞれ前記第２、第４および第５の増幅部の出力電圧を補正するステップと
をさらに具備する請求項３に記載のＡＤ変換装置の補正方法。
【請求項５】
第１および第２の電圧信号を増幅する第１の増幅部と、
前記第１の増幅部で増幅された第１および第２の電圧信号を増幅する第２の増幅部と、
前記第２の増幅部で増幅された第１および第２の電圧信号を比較する第１の比較部と、
前記第１の増幅部の入力端を短絡する第１のスイッチと、
前記第２の増幅部の入力端を短絡する第２のスイッチと、
前記第２のスイッチを閉じた状態で、前記第１の比較部の比較結果に応じて、前記第２の増幅部の出力電圧を補正する第１の補正部と、
前記第１のスイッチを閉じ、かつ前記第２のスイッチを開いた状態で、前記第１の比較部の比較結果に応じて、前記第１の増幅部の出力電圧を補正する第２の補正部と
を具備するＡＤ変換装置。
【請求項６】
第３および第４の電圧信号を増幅する第３の増幅部と、
前記第３の増幅部で増幅された第３および第４の電圧信号を増幅する第４の増幅部と、
前記第４の増幅部で増幅された第３および第４の電圧信号を比較する第２の比較部と、
前記第３の増幅部の入力端を短絡する第３のスイッチと、
前記第４の増幅部の入力端を短絡する第４のスイッチと、
前記第１および第３の増幅部で増幅された第１および第３の電圧信号の中間の電圧信号を生成する第１の生成部と、
前記第１および第３の増幅部で増幅された第２および第４の電圧信号の中間の電圧信号を生成する第２の生成部と、
前記第１および第２の生成部で生成された中間の電圧信号を増幅する第５の増幅部と、
前記第５の増幅部で増幅された中間の電圧信号を比較する第３の比較部と
前記第４のスイッチを閉じた状態で、前記第２の比較部の比較結果に応じて、前記第４の増幅部の出力電圧を補正する第３の補正部と、
前記第３のスイッチを閉じ、かつ前記第４のスイッチを開いた状態で、前記第２の比較部の比較結果に応じて、前記第３の増幅部の出力電圧を補正する第４の補正部と、
前記第２および第４のスイッチを閉じた状態で、前記第３の比較部の比較結果に応じて、前記第５の増幅部の出力電圧を補正する第５の補正部と
をさらに具備する請求項５に記載のＡＤ変換装置。
【請求項７】
前記第１ないし第５の補正部は、
前記第１ないし第５の増幅部の出力へそれぞれ電流を供給する第１ないし第５の電流供給部と、
前記第１ないし第３の比較部での比較結果に応じて、前記第１ないし第５の電流供給部をそれぞれ制御する第１ないし第５の制御部と
を具備することを特徴とする請求項５または請求項６に記載のＡＤ変換装置。
【請求項８】
前記第１ないし第５の電流供給部は、電流値を２の乗数で重みづけされた複数の電流源からなることを特徴とする請求項７に記載のＡＤ変換装置。
【請求項９】
前記第１ないし第５の制御部は、レジスタ回路またはカウンタ回路であることを特徴とする請求項７または請求項８に記載のＡＤ変換装置。
【請求項１０】
無線信号を受信する受信部と、
前記受信部で受信した無線信号を第１および第２の電圧信号からなるベースバンド信号に変換する変換部と、
前記変換部で変換した第１および第２の電圧信号を増幅する第１の増幅部と、
前記第１の増幅部で増幅された第１および第２の電圧信号を増幅する第２の増幅部と、
前記第２の増幅部で増幅された第１および第２の電圧信号を比較してデジタル信号を生成する比較部と、
前記第１の増幅部の入力端を短絡する第１のスイッチと、
前記第２の増幅部の入力端を短絡する第２のスイッチと、
前記第２のスイッチを閉じた状態で、前記比較部の比較結果に応じて、前記第２の増幅部の出力電圧を補正する第１の補正部と、
前記第１のスイッチを閉じ、かつ前記第２のスイッチを開いた状態で、前記比較部の比較結果に応じて、前記第１の増幅部の出力電圧を補正する第２の補正部と、
前記第１の比較部からのデジタル信号を復調する信号処理部と
を具備する無線機。
【手続補正２】
【補正対象書類名】明細書
【補正対象項目名】０００４
【補正方法】変更
【補正の内容】
【０００４】
本発明の一態様に係るＡＤ変換装置の補正方法は、第１および第２の電圧信号を増幅する第１の増幅部と、第１の増幅部で増幅された第１および第２の電圧信号を増幅する第２の増幅部と、第２の増幅部で増幅された第１および第２の電圧信号を比較する比較部とを備えたＡＤ変換装置の補正方法であって、第２の増幅部の入力端を短絡するステップと、比較部へ入力される第１および第２の電圧信号を比較するステップと、比較部での比較結果に応じて、第２の増幅部の出力電圧を補正するステップと、第１の増幅部の入力端を短絡するステップと、第２の増幅部の入力端の短絡を開放するステップと、比較部へ入力される第１および第２の電圧信号を比較するステップと、比較部での比較結果に応じて、第１の増幅部の出力電圧を補正するステップとを具備する。